(57)【要約】【課題】夏等の気温が高く暑い時期に、室内でも、室外でも使用でき、冷却スプレーの噴射により、身体に装着している保冷剤を適宜、冷却することができるような構造にして、低コストで冷感を持続しながら得られる身体冷却装置を提供することを課題とする。【解決手段】冷却スプレーや保冷剤や不凍液等の凍りにくい溶液を循環させる管を内蔵した冷却部のケースと、保冷剤や不凍液等の凍りにくい溶液を循環させる管を内蔵した身体装着部と、前記二つの部分を結ぶ不凍液等の凍りにくい溶液を循環させる管とを備え、冷却スプレーを噴射することによる冷却ガスの冷気で、ケース内の保冷剤を冷却し、その冷気が管の中の溶液に伝わり、その溶液が循環することによって、身体装着部の保冷剤を冷却し、適宜、身体が冷却されて冷感を得ることができる。【選択図】図１
2010069275.tif 000002
【特許請求の範囲】
【請求項１】
冷却スプレーや保冷剤や不凍液等の凍りにくい溶液を循環させる管等を内蔵した冷却部のケースと、保冷剤や不凍液等の凍りにくい溶液を循環させる管を内蔵した身体装着部と、前記二つの部分を結ぶ不凍液等の凍りにくい溶液を循環させる管とを備え、冷却スプレーを噴射することによる冷却ガスの冷気で、ケース内の保冷剤を冷却し、その冷気が管の中の不凍液等の凍りにくい溶液に伝わり、その溶液が循環することによって、身体装着部の保冷剤を冷却し、適宜、身体が冷却されて冷感を得ることができるように構成したことを特徴とする身体冷却装置。
【請求項２】
前記不凍液等の凍りにくい溶液を内蔵した管内に、ファンを設け、ケースと身体装着部とを不凍液等の凍りにくい溶液が一方向に流れて循環するようにして、冷却スプレーの噴射による冷却ガスの冷気を身体装着部の保冷剤に効率よく伝えるように構成したことを特徴とする請求項１に記載の身体冷却装置。
【発明の詳細な説明】
【技術分野】
【０００１】  本発明は、夏等の気温の高い暑い時期に、室内、室外にかかわらず、携帯して着用することで身体を冷却して、持続して冷感が得られる身体冷却装置に関する。
【背景技術】
【０００２】  従来、夏等の気温が高く暑い時期には、暑さを和らげるために、自然の風を室内に取り入れて体感温度を下げたり、扇風機で風を起こして体感温度を下げたり、冷媒等を介して低温化した風を送風するエアコンで室内温度を下げたりしている。【０００３】  しかし、夏等の気温が高く暑い時期には、風があまり吹かなかったり、外気の温度の方が室内よりも高かったりするため自然の風を室内に取り入れて体感温度を下げる効果はあまり望めない。【０００４】  また、扇風機については、装置周辺の空気を羽根により送風するもので、空気の循環で体感温度が下がるが、送風される風の温度は装置周辺の温度であり、気温が高温になれば人に涼感を与えるには限界がある。【０００５】  また、エアコンは室内温度を下げることには有用であるが、使用時の電気消費量が高く、省エネを考えて設定温度を高くする傾向である。【０００６】  このようなことから、地球温暖化、省エネが叫ばれる中、室内でも、室外でも使用でき、低コストで冷感が得られる方法が望まれている。【０００７】  夏等の気温が高く暑い時期に、室内でも、室外でも使用でき、低コストで冷感が得られる方法として、冷蔵庫や冷凍庫等で冷却した保冷剤を身体に着用して冷感を得る方法が知られている．また、冷却スプレーを身体に噴射することで、瞬時に冷感を得る方法もある。
【発明の開示】
【発明が解決しようとする課題】
【０００８】  しかしながら、保冷剤の場合は、保冷剤の温度が低い間は、身体に装着して冷感を得ることができるが、一度、保冷剤の温度が上がってしまうと、再度、冷蔵庫や冷凍庫等で冷却しなければ冷感を得ることができない。室内にいる時は、保冷剤を冷却して再度使用することができるが、室外にいる時は、保冷剤を冷却する方法が難しく、冷感を持続することも難しい。【０００９】  また、冷却スプレーの場合は、身体に冷却ガスを噴射すれば、冷却ガスの冷気で瞬時に冷感を得ることができるが、すぐに気温の高い暑い空気に包まれ、冷感を持続することは難しい。【００１０】  そこで、身体に装着して冷感を得る保冷剤と、瞬時に冷却することのできる冷却スプレーのそれぞれの良い点を生かして、冷感を持続させる装置を考案した。夏等の気温が高く暑い時期に、室内でも、室外でも使用でき、冷却スプレーの噴射により身体に装着している保冷剤を適宜、冷却することができるような構造にして、低コストで持続して冷感が得られる身体冷却装置を提供することを課題とする。
【課題を解決するための手段】
【００１１】  以上の課題を解決するために、第一発明は、冷却スプレーや保冷剤や不凍液等の凍りにくい溶液を循環させる管等を内蔵した冷却部のケースと、保冷剤や不凍液等の凍りにくい溶液を循環させる管を内蔵した身体装着部と、前記二つの部分を結ぶ不凍液等の凍りにくい溶液を循環させる管とを備え、冷却スプレーを噴射することによる冷却ガスの冷気で、ケース内の保冷剤を冷却し、その冷気が管の中の不凍液等の凍りにくい溶液に伝わり、その溶液が循環することによって、身体装着部の保冷剤を冷却し、適宜、身体が冷却されて冷感を得ることができるように構成したことを特徴とする身体冷却装置である。【００１２】  この第一発明においては、冷却スプレーや保冷剤や不凍液等の凍りにくい溶液を循環させる管等を内蔵している冷却部のケースの周囲は、断熱材で構成されており、冷却された保冷剤や不凍液等の凍りにくい溶液等が設けてある部分の冷気が長く持続するようになっている。【００１３】  また、冷却スプレーや保冷剤や不凍液等の凍りにくい溶液を循環させる管等を内蔵しているケース内から、保冷剤を取り出したり挿入したりすることができるように保冷剤が着脱可能になっているので、夏等の気温の高い暑い時期に室内にいるときは、保冷剤をケースから取り出して冷蔵庫や冷凍庫等で冷却し、何度でも使用することができる。さらに、予備の保冷剤を冷蔵庫や冷凍庫等で冷却しておけば、必要な時に保冷剤を取り替えて使用することも可能である。【００１４】  第二発明は、前記不凍液等の凍りにくい溶液を内蔵した管内に、ファンを設け、ケースと身体装着部とを不凍液等の凍りにくい溶液が一方向に流れて管内を循環するようにして、冷却スプレーの噴射による冷却ガスの冷気を身体装着部の保冷剤に効率よく伝えるように構成したことを特徴とする身体冷却装置である。【００１５】  この第二発明においては、冷気がケース内の保冷剤から管の中の不凍液等の凍りにくい溶液に効率よく伝わるように、また、冷気が不凍液等の凍りにくい溶液から身体装着部の保冷剤に効率よく伝わるように、保冷剤の間を管が蛇行しながら通り、保冷剤と管とが接する面積を多くするようになっている。
【発明の効果】
【００１６】  本発明では、かかる構成とすることにより次のような効果が得られる。
第一は、冷却スプレーを噴射することによる冷却ガスの冷気が身体装着部の保冷剤に伝わるように構成されており、夏等の気温の高い暑い時期に、室内、室外のどこにいても、この装置を携帯して冷却スプレーを噴射することにより、効率よく身体を冷却することができる。【００１７】  特に、夏等の気温の高い暑い時期の室外にいるときは、着用している保冷剤の温度が高くなってしまい、冷却能力が低くなってしまう。これまでは、室外での保冷剤の有効な冷却手段がなかったが、冷却ガスの冷気（−４０℃）を身体装着部の保冷剤に持続して伝えることにより、適宜、身体が冷却されて冷感を得ることができる。【００１８】  第二は、冷却スプレーや保冷剤や不凍液等の凍りにくい溶液を循環させる管等を内蔵したケース内から、保冷剤を取り出したり、挿入したりすることのできるようになっているので、夏等の気温の高い暑い時期に室内にいるときは、ケースから保冷剤を取り出して、冷蔵庫や冷凍庫等で冷却して、何度でも使用することができる。【００１９】  また、予備の保冷剤を冷蔵庫や冷凍庫等で冷却しておけば、必要な時に保冷剤を取り替えて使用することができ、低コストで継続して身体を、適宜、冷却することができる。このように、室内、室外等の状況に応じて、冷却スプレーを噴射したり、保冷剤を冷却したりして、適宜、身体を冷却し、持続して冷感を得ることができる。
【発明を実施するための最良の形態】
【００２０】  以下、図面を参照して、本発明の身体冷却装置の一実施の形態について説明する。【００２１】  図１は、身体冷却装置全体の使用状態を示す斜視図である。この装置は、冷却スプレーや保冷剤等を内蔵した冷却部のケース１と、身体装着部２と、前記二つの部分を結ぶ不凍液等の凍りにくい溶液を循環させる管３とを備えている。【００２２】  冷却部のケース１の内部は、図４、図５のように、冷却スプレー４を設ける部分と保冷剤１２や不凍液等の凍りにくい溶液を循環させる管３等を設ける部分とに分かれており、それぞれ周りを断熱材９で覆う。【００２３】  冷却スプレー４を噴射する時には、図３のように冷却部のケースの外蓋１０と冷却スプレー側の内蓋１１を開け、キャップ５を取り、冷却ガス噴射ボタン６を押す。【００２４】  冷却ガス噴射ボタン６が押されると、図４のように冷却ガス噴射管７が、冷却スプレー４を設けた部分から、保冷剤１２や不凍液等の凍りにくい溶液を循環させる管３等を設けた部分に導かれているので、冷却ガス噴射口８から冷却ガスが、保冷剤１２や不凍液等の凍りにくい溶液を循環させる管３等を設けた部分に噴射され、冷却ガスがこの部分に充満し、保冷剤１２等を冷却する。【００２５】  保冷剤１２や不凍液等の凍りにくい溶液を循環させる管３等を設けた部分は、内蓋１１が閉じていても、冷却ガスが充満した後の余分な冷却ガスが、内蓋の隙間から抜けるようにしてある。【００２６】  このように、冷却ガスを噴射することにより、瞬時に、保冷剤１２や不凍液等の凍りにくい溶液を循環させる管３等を設けた部分を冷却し、その部分を覆う断熱材により、冷気が長く持続して冷却状態を保つとともに、冷却ガスを噴射しすぎた場合でも、内蓋の隙間から冷却ガスが抜けるように構成する。【００２７】  冷却された保冷剤１２から、管３の中の不凍液等の凍りにくい溶液に冷気が効率よく伝わるように、保冷剤１２の間を管３が蛇行しながら通り、保冷剤１２と管３とが接する面積を多くするようになっている。【００２８】  冷却された管３の中の不凍液等の凍りにくい溶液は、管３内に設けられたファン１４により、一方向に流れて管３内を循環するようにする。このことにより、冷却部のケースの中の冷却された不凍液等の凍りにくい溶液が、身体装着部２に運ばれる。【００２９】  身体装着部２の内部では、図７、図９のように、不凍液等の凍りにくい溶液を循環させる管３が、保冷剤１３の中を蛇行しながら通ることにより、冷気が、不凍液等の凍りにくい溶液から保冷剤１３に効率よく伝わり、冷却された保冷剤１３により、身体が冷却される構成になっている。【００３０】  図２において、冷却部のケースの中の保冷剤１２は、着脱可能になっているので、室内で身体冷却装置を使用する場合等、冷蔵庫や冷凍庫等で保冷剤１２を冷却できる時は、冷却部のケースの外蓋１０と内蓋１１を開き、保冷剤１２を取り出して冷蔵庫や冷凍庫等で冷却し、冷却した保冷剤１２を再び冷却部のケースに挿入することができる。【００３１】  また、予備の保冷剤を冷蔵庫や冷凍庫等で冷却しておけば、適宜、冷却された保冷剤に取り替えて使用することができ、低コストで、継続して、適宜、身体を冷却することができる。【００３２】  さら���、保冷剤１２は着脱可能になっているので、冷却部のケースで冷却された保冷剤１２を取り出して、その冷却された保冷剤１２を直接、身体に接して冷感を得ることもできる。【００３３】  図１において、冷却スプレーや保冷剤等を内蔵した冷却部のケース１は、身体に装着したり、バックの中に入れたりして、携帯できるようにする。【００３４】  身体装着部は、図７のように、胸元で重ねて面ファスナー等のストッパーで固定する等して、身体に装着できるようにする。
本発明は，以上の構成よりなる身体冷却装置である。
【図面の簡単な説明】
【００３５】
【図１】  身体冷却装置全体の使用状態を示す斜視図である。
【図２】  冷却スプレーや保冷剤等を内蔵した冷却部のケースの外ふたと内ふたを開いた状態を示す斜視図である。
【図３】  冷却部のケースの中の保冷剤の方を閉じて、冷却スプレーを噴射するときの状態を示す斜視図である。
【図４】  冷却部のケースの断面図である。
【図５】  冷却部のケースの真上から見た図である。
【図６】  身体装着部の胸側の斜視図である。
【図７】  身体装着部の胸側の内部の状態を示す図である。
【図８】  身体装着部の背側の斜視図である。
【図９】  身体装着部の背側の内部の状態を示す図である。
【符号の説明】
【００３６】  １    冷却スプレーや保冷剤等を内蔵した冷却部のケース
２    身体装着部
３    不凍液等の凍りにくい溶液を循環させる管
４    冷却スプレー
５    キャップ
６    冷却ガス噴射ボタン
７    冷却ガス噴射管
８    冷却ガス噴射口
９    断熱材
１０    冷却部のケースの外蓋
１１    冷却部のケースの内蓋
１２    冷却部のケースの保冷剤
１３    身体装着部の保冷剤
１４    ファン
１５    モーター
１６    電池
１７    ストッパー
【図１】
2010069275.tif 000003
【図２】
2010069275.tif 000004
【図３】
2010069275.tif 000005
【図４】
2010069275.tif 000006
【図５】
2010069275.tif 000007
【図６】
2010069275.tif 000008
【図７】
2010069275.tif 000009
【図８】
2010069275.tif 000010
【図９】
2010069275.tif 000011